(57)【特許請求の範囲】
【請求項１】
利用者が有する認証デバイスから認証情報を受信する受信部と、
前記受信部が受信した認証情報に基づいて、前記利用者の通過可否を判定する判定部と、
前記認証デバイスの認証情報に基づいた認証処理を行うために当該認証デバイスを有する前記利用者が通過するべき領域である認証エリアの位置を示す表示を、前記利用者が前記認証エリアに進入する以前から、第１の表示態様で表示する表示部とを備え、
前記受信部は改札通路床面に設けられている
ことを特徴とする通過判定装置。
【請求項２】
前記表示部は前記認証エリアの両側部を前記利用者に認識させる表示部である
こと特徴とする請求項１記載の通過判定装置。
【請求項３】
前記表示部は前記認証エリアの両側部に配置されている
こと特徴とする請求項１記載の通過判定装置。
【請求項４】
前記第１の表示態様は、
前記利用者が前記認証エリアを通過すべき通過方向を認識可能な表示態様を含む表示態様である
ことを特徴とする請求項１記載の通過判定装置。
【請求項５】
前記第１の表示態様は、
前記利用者が前記認証エリアを通過すべき通過方向を認識可能な表示態様と、前記利用者に対して前記認証エリアの位置を判別可能に示す表示態様とを、交互に表示する表示態様である
ことを特徴とする請求項１記載の通過判定装置。
【請求項６】
前記表示部は、
前記利用者が前記認証エリアに進入する以前から前記判定部が通過可否を判定するまで、前記認証エリアの位置を前記第１の表示態様で表示する
ことを特徴とする請求項１記載の通過判定装置。
【請求項７】
前記表示部は、
前記判定部が前記利用者を通過可能と判定した場合に、通過可能の意図を第２の表示態様で表示する
ことを特徴とする請求項１記載の通過判定装置。
【請求項８】
前記表示部は、
前記判定部が前記利用者を通過不可と判定した場合に、通過不可の意図を第３の表示態様で表示する
ことを特徴とする請求項１記載の通過判定装置。
【請求項９】
前記表示部は、
前記判定部が判定した判定結果、及び、利用者の行き先を表示する
ことを特徴とする請求項１記載の通過判定装置。
【請求項１０】
前記判定部が判定した判定結果を、音声として出力する音声部を備える
ことを特徴とする請求項１記載の通過判定装置。
【請求項１１】
改札通路床面に設けられた受信部によって、利用者が有する認証デバイスから認証情報を受信し、
前記受信部によって受信した認証情報に基づいて、前記利用者の通過可否を判定部によって判定し、
前記認証デバイスの認証情報に基づいた認証処理を前記判定部によって行うために当該認証デバイスを有する前記利用者が通過するべき領域である認証エリアの位置を示す表示を、前記利用者が前記認証エリアに進入する以前から、表示部によって表示する
ことを特徴とする表示方法。
【請求項１２】
利用者が有する認証デバイスから認証情報を受信する受信部と、
前記受信部が受信した認証情報に基づいて、前記利用者の通過可否を判定する判定部と、
前記認証デバイスの認証情報に基づいた認証処理を行うために当該認証デバイスを有する前記利用者が通過するべき領域である認証エリアの位置を示す表示を、前記利用者が前記認証エリアに進入する以前から、第１の表示態様で表示する表示部とを備え、
前記表示部は前記認証エリアの両側部を前記利用者に認識させる表示部である
ことを特徴とする通過判定装置。
【請求項１３】
利用者が有する認証デバイスから認証情報を受信部によって受信し、
前記受信部によって受信した認証情報に基づいて、前記利用者の通過可否を判定部によって判定し、
前記認証デバイスの認証情報に基づいた認証処理を前記判定部によって行うために当該認証デバイスを有する前記利用者が通過するべき領域である認証エリアの両側部の位置を当該利用者に認識させる表示を、前記利用者が前記認証エリアに進入する以前から、表示部によって表示する
ことを特徴とする表示方法。
【発明の詳細な説明】
【技術分野】
【０００１】
この発明は、通路を利用する利用者に対して、通過可否を判定するようにした通過判定装置及び表示方法に関する。
【背景技術】
【０００２】
従来、ビルの入り口及び駅の改札には、利用者の不正進入を防止することを目的として、ゲートシステムが設けられている。このようなゲートシステムの中には、利用者の円滑な通行を可能としたフラットゲートシステムが提供されている。このフラットゲートシステムは、ゲート装置を廃止すると共に、そのゲート装置の機能を通路床面に配置して、全体構成として、フルフラットな形状としている。そして、従来のフラットゲートシステムとしては、例えば、特許文献１に開示されている。
【先行技術文献】
【特許文献】
【０００３】
【特許文献１】特開２０１３−１５２６６５号公報
【発明の概要】
【発明が解決しようとする課題】
【０００４】
しかしながら、上記従来のフラットゲートシステムにおいては、ゲート装置を備えたゲートシステムとは異なり、通路に沿って配置されるゲート装置が設けられていないため、利用者による通路の認識が困難となる。フラットゲートシステムにおいて、利用者に対する通過判定を行うためには、利用者が所定の認証エリアを通過する必要がある。従って、利用者は、認証エリアの位置を容易に把握できなくてはならない。【０００５】
この発明は、上記課題を解決するものであって、利用者が認証エリアの位置を把握することができる通過判定装置及び表示方法を提供することを目的とする。
【課題を解決するための手段】
【０００６】
この発明に係る通過判定装置は、利用者が有する認証デバイスから認証情報を受信する受信部と、受信部が受信した認証情報に基づいて、利用者の通過可否を判定する判定部と、認証デバイスの認証情報に基づいた認証処理を行うために当該認証デバイスを有する利用者が通過するべき領域である認証エリアの位置を示す表示を、利用者が認証エリアに進入する以前から、第１の表示態様で表示する表示部とを備え、受信部は改札通路床面に設けられているものである。
また、この発明に係る通過判定装置は、利用者が有する認証デバイスから認証情報を受信する受信部と、受信部が受信した認証情報に基づいて、利用者の通過可否を判定する判定部と、認証デバイスの認証情報に基づいた認証処理を行うために当該認証デバイスを有する利用者が通過するべき領域である認証エリアの位置を示す表示を、利用者が認証エリアに進入する以前から、第１の表示態様で表示する表示部とを備え、表示部は認証エリアの両側部を利用者に認識させる表示部となるものである。
【０００７】
この発明に係る表示方法は、改札通路床面に設けられた受信部によって、利用者が有する認証デバイスから認証情報を受信し、受信部によって受信した認証情報に基づいて、利用者の通過可否を判定部によって判定し、認証デバイスの認証情報に基づいた認証処理を判定部によって行うために当該認証デバイスを有する利用者が通過するべき領域である認証エリアの位置を示す表示を、利用者が認証エリアに進入する以前から、表示部によって表示するものである。
また、この発明に係る表示方法は、利用者が有する認証デバイスから認証情報を受信部によって受信し、受信部によって受信した認証情報に基づいて、利用者の通過可否を判定部によって判定し、認証デバイスの認証情報に基づいた認証処理を判定部によって行うために当該認証デバイスを有する利用者が通過するべき領域である認証エリアの両側部の位置を当該利用者に認識させる表示を、利用者が認証エリアに進入する以前から、表示部によって表示するものである。
【発明の効果】
【０００８】
この発明によれば、利用者が認証エリアの位置を把握することができる。
【図面の簡単な説明】
【０００９】
【図１】この発明の実施の形態１に係る通過判定装置が適用されたフラットゲートシステムの外観図である。
【図２】認証デバイスの構成例を示した図である。
【図３】この発明の実施の形態１に係る通過判定装置が適用されたフラットゲートシステムの構成を示すブロック図である。
【図４】認証エリアの位置を第１の表示態様で表示した状態を示した図である。
【図５】認証エリアにおいて判定結果を表示した状態を示した図である。図５Ａは通過可能の意図を第２の表示態様で表示した状態を示した図である。図５Ｂは通過不可の意図を第３の表示態様で表示した状態を示した図である。
【図６】この発明の実施の形態１に係る通過判定装置が適用されたフラットゲートシステムの処理手順を示すフローチャートである。
【図７】判定テーブルの一例を示した図である。
【図８】この発明の実施の形態２に係る通過判定装置が適用されたフラットゲートシステムにおいて、通過可能の意図を第２の表示態様で表示するときのプロジェクタの投影状態を示した図である。
【発明を実施するための形態】
【００１０】
以下、この発明をより詳細に説明するために、この発明を実施するための形態について、添付の図面に従って説明する。
【００１１】
実施の形態１．
実施の形態１に係る通過判定装置は、駅の自動改札となるフラットゲートシステムに適用されている。図１に示した駅のフラットゲートシステムは、改札通路１１に設けられている。この改札通路１１は、駅を利用する利用者が通過するものである。
【００１２】
改札通路１１は、複数の床パネル１２を、隙間無く敷き詰めた構成となっており、その床パネル１２は、矩形をなす板状の床材となっている。つまり、改札通路１１の床面は、複数の床パネル１２によって形成されている。そして、改札通路１１における所定位置に配置された複数の床パネル１２の表面は、それぞれ認証エリア１３として設定されている。
【００１３】
なお、図１においては、複数の認証エリア１３のうち、代表して、３つの認証エリア１３を図示している。また、図１においては、３つの認証エリア１３を床パネル１２の幅方向に並べて配置しているが、複数の認証エリア１３を設置する場合には、改札通路１１に点在させても構わない。更に、認証エリア１３は、１つであっても構わない。
【００１４】
認証エリア１３を形成する床パネル１２の幅方向両側部には、表示部１４が設けられている。表示部１４は、例えば、複数の発光ダイオードから構成されており、これらの発光ダイオードは、上記床パネル１２の幅方向両側部において、床パネル１２の長さ方向に沿って、一定間隔で配置されている。
【００１５】
全ての発光ダイオードは、白色、青色、及び、赤色のうち、いずれかの同じ一色で発光可能となっている。これにより、表示部１４は、発光ダイオードの発光及び非発光によって、点灯及び消灯し、点灯状態と消灯状態との間における切り替えによって、後述する第１の表示態様、第２の表示態様、及び、第３の表示態様のうち、いずれか１つの表示態様を採用することができる。
【００１６】
図２は、認証デバイス２０の構成例を示している。認証デバイス２０は、非接触式のＩＣカード２１及びカードホルダ２２を備えている。カードホルダ２２は、ＩＣカード２１を収納するためのものである。改札通路１１を通過する複数の利用者は、上記認証デバイス２０を個々に携帯している。
【００１７】
ＩＣカード２１は、乗車券及び定期券等の通行券に相当するものであって、当該ＩＣカード２１には、利用者に関する認証情報が予め記憶されている。この認証情報としては、例えば、個人を識別するための個人識別情報、定期区間情報、定期期限情報、及び、残高情報等である。
【００１８】
カードホルダ２２は、その内部に収納したＩＣカード２１に記憶されている認証情報を読み取り可能となっており、更に、その読み取った認証情報を、無線通信を利用して、認証エリア１３に向けて送信可能となっている。
【００１９】
但し、認証デバイス２０は、非接触式のＩＣカード２１及びカードホルダ２２を備えているが、このような構成に限定されることはなく、利用者側から無線通信によって送信された認証情報を通路側で受信することができる構成ならば、どのような構成であっても構わない。
【００２０】
認証デバイス２０としては、例えば、スマートフォンを適用することができる。この場合には、スマートフォンに対して認証情報を予め記憶させておき、このスマートフォンを、カードホルダ２２に相当するスマートフォンカバーに収納すればよい。また、スマートフォンのみで認証デバイス２０を構成しても構わない。このような、認証デバイス２０を単体で構成するスマートフォンには、認証情報が予め記憶されているだけでなく、無線機能が備わっている。
【００２１】
従って、実施の形態１に係る通過判定装置が適用されたフラットゲートシステムは、ＩＣカード２１をかざすためのリーダライタ、及び、利用者の不正進入を阻止するためのフラッパを有するゲート装置を備えてはおらず、敷き詰められた複数の床パネル１２のみが存在するような、全体的にフラットな構成をなしている。
【００２２】
更に、フラットゲートシステムは、認証デバイス２０を携帯した利用者が改札通路１１を通過する場合に、ＩＣカード２１に記憶されている認証情報を認証エリア１３の位置で受信して、その受信した認証情報に基づいて、利用者に対する通過可否を判定するようにしている。つまり、認証エリア１３は、認証デバイス２０の認証情報に基づいた認証処理を行うために、その認証デバイス２０を有する利用者が通過するべき領域である。
【００２３】
次に、実施の形態１に係る通過判定装置が適用されたフラットゲートシステムの構成について、図３から図５Ａ及び図５Ｂを用いて詳細に説明する。
【００２４】
図３に示すように、フラットゲートシステムは、上述した構成に加えて、読み取り部３１、発信部３２、受信部３３、検出部３４、判定部３５、及び、音声部１５を備えている。読み取り部３１及び発信部３２は、カードホルダ２２に設けられている。これに対して、受信部３３、検出部３４、判定部３５、表示部１４、及び、音声部１５は、改札通路１１側に設けられている。
【００２５】
読み取り部３１は、認証に必要な認証情報をＩＣカード２１から非接触で取得し、その取得した認証情報を発信部３２に受け渡す。
【００２６】
発信部３２は、読み取り部３１から受け渡された認証情報を、受信部３３に向けて無線送信する。なお、発信部３２は、後述する検出部３４が発した発信要求に応じて、認証情報を発信することができる。
【００２７】
受信部３３は、発信部３２から無線送信された認証情報を受信し、この受信した認証情報を判定部３５に受け渡す。
【００２８】
検出部３４は、利用者が認証エリア１３に進入したか否かを検出し、その検出結果を判定部３５に受け渡す。このような検出部３４としては、例えば、認証エリア１３の下部に埋設される重量センサ、または、認証エリア１３の直上空間を検出範囲とする赤外線センサ、あるいは、認証エリア１３の直上空間を撮影範囲とするカメラ等である。
【００２９】
判定部３５は、受信部３３から受け渡された認証情報、及び、検出部３４から受け渡された検出結果に基づいて、認証情報に対する認証処理を行った後、その認証結果に基づいて、利用者に対する通過可否を判定するものである。また、判定部３５は、その判定結果を表示部１４及び音声部１５に受け渡す。
【００３０】
表示部１４は、認証エリア１３の位置を、利用者が認証エリア１３に進入する以前から、第１の表示態様で表示する。または、表示部１４は、認証エリア１３の位置を、利用者が認証エリア１３に進入する以前から、判定部３５が通過可否を判定するまで、第１の表示態様で表示する。
【００３１】
第１の表示態様は、利用者が認証エリア１３を通過すべき通過方向を認識可能な表示態様を含む表示態様である。また、第１の表示態様は、利用者が認証エリア１３を通過すべき通過方向を認識可能な表示態様と、利用者に対して認証エリア１３の位置を判別可能に示す表示態様とが、交互に表示される表示態様である。
【００３２】
表示部１４が認証エリア１３の位置を第１の表示態様で表示する表示方法については、図４を用いて説明する。
【００３３】
図４の上側における連続した３つのアニメーションは、表示部１４が認証エリア１３の位置を表示する際の発光パターンであって、利用者に対して認証エリア１３の位置を判別可能に示す表示態様となっている。また、図４の下側における連続した３つのアニメーションは、表示部１４が認証エリア１３の通過方向を示す際の発光パターンであって、利用者が認証エリア１３を通過すべき通過方向を認識可能な表示態様となっている。
【００３４】
ここで、表示部１４が認証エリア１３の位置を表示する場合には、全ての発光ダイオードが、認証エリア１３の幅方向両側部における床パネル１２の長さ方向全域において、白色光で同時に点滅する。
【００３５】
一方、表示部１４が認証エリア１３の通過方向を表示する場合には、発光ダイオードが白色光で点滅することにより、所定長さの発光帯が、通過方向上流側から下流側に向けて移動する。この発光帯の移動方向は、利用者が認証エリア１３を通過すべき通過方向となっており、床パネル１２の長さ方向と一致し、床パネル１２の幅方向と直交する。
【００３６】
そして、表示部１４は、認証エリア１３の位置を表示する際の発光パターンと、認証エリア１３の通過方向を表示する際の発光パターンとを、利用者が認証エリア１３に進入する以前から判定部３５による認証処理が完了するまで交互に繰り返す。
【００３７】
また、表示部１４は、判定部３５から受け渡された判定結果、即ち、利用者に対する通過可否を、第２の表示態様または第３の表示態様で表示する。これにより、表示部１４は、認証エリア１３の位置を表示する際の第１の表示態様から、通過可否の判定を表示する際の第２の表示態様または第３の表示態様に切り替え可能となっている。
【００３８】
第２の表示態様は、判定部３５による通過可能の意図を表示する際の表示態様である。また、第３の表示態様は、判定部３５による通過不可の意図を表示する際の表示態様である。
【００３９】
表示部１４が利用者に対する通過可否を第２の表示態様または第３の表示態様で表示する表示方法については、図５Ａ及び図５Ｂを用いて説明する。
【００４０】
図５Ａに示した、連続した３つのアニメーションは、判定部３５が利用者を通過可能と判定した場合に、表示部１４が通過可能の意図を第２の表示態様で表示する様子を示している。具体的には、表示部１４は、利用者が通過可能であると表示する場合には、発光ダイオードが青色光で点滅することにより、その発光長さが、通過方向上流側から下流側に向けて延びる。この発光長さが延びる方向は、利用者が認証エリア１３を通過すべき通過方向と一致している。
【００４１】
一方、図５Ｂに示した、連続した３つのアニメーションは、判定部３５が利用者を通過不可と判定した場合に、表示部１４が通過不可の意図を第３の表示態様で表示する様子を示している。具体的には、表示部１４は、利用者が通過不可であると表示する場合には、全ての発光ダイオードが、認証エリア１３の幅方向両側部における床パネル１２の長さ方向全域において、赤色光で同時に点滅する。
【００４２】
更に、表示部１４としては、プロジェクタ及び液晶モニタ等を採用しても構わない。
【００４３】
プロジェクタは、認証エリア１３の表面に、認証エリア１３の位置及び通過方向、または、利用者に対する通過可否を投影可能となっている。このとき、プロジェクタは、通過可否を投影するだけでなく、通過可能とする判定がなされた場合には、それに併せて、利用者の行き先を投影しても構わない。
【００４４】
液晶モニタは、認証エリア１３よりも通過方向前方側に設置されており、その画面が認証エリア１３に向いている。そして、液晶モニタは、認証エリア１３の位置及び通過方向、通過可否、行き先を表示可能となっている。これにより、利用者は、前方側を見れば、それらの表示内容を容易に確認することができる。
【００４５】
音声部１５は、判定部３５から受け渡された判定結果、即ち、利用者に対する通過可否を音声として出力する。具体的には、音声部１５は、受け渡された判定結果が「通過可能」である場合には、その通過可能を示す音を出力する。一方、音声部１５は、受け渡された判定結果が「通過不可」である場合には、その通過不可を示す警告音を出力する。このとき、音声部１５は、警告音を出力すると共に、通過不可とした意図を音声として出力しても構わない。
【００４６】
次に、実施の形態１に係る通過判定装置が適用されたフラットゲートシステムにおける処理手順について、図６及び図７を用いて詳細に説明する。
【００４７】
図６に示すように、先ず、ステップＳＴ１において、読み取り部３１は、カードホルダ２２内に収納されたＩＣカード２１から認証情報を取得した後、その取得した認証情報を発信部３２に受け渡す。
【００４８】
次いで、ステップＳＴ２において、表示部１４は、認証エリア１３の位置及び通過方向を、利用者が認証エリア１３に進入する以前から、交互に繰り返し表示し始める。
【００４９】
そして、ステップＳＴ３において、検出部３４は、利用者が認証エリア１３に進入したことを検出する。
【００５０】
次いで、ステップＳＴ４において、検出部３４は、発信部３２に対して、認証情報の発信を要求する一方、判定部３５に対して、利用者が認証エリア１３に進入したという、検出結果を通知する。
【００５１】
そして、ステップＳＴ５において、判定部３５は、認証エリア１３に進入した利用者が、ＩＣカード２１が収納されたカードホルダ２２を携帯しているか否かを判断する。ここで、利用者がカードホルダ２２を携帯している場合には、ステップＳＴ６に進む。一方、利用者がカードホルダ２２を携帯していない場合には、ステップＳＴ７に進む。
【００５２】
次いで、ステップＳＴ６において、発信部３２は、認証情報を受信部３３に向けて発信する。
【００５３】
そして、ステップＳＴ８において、受信部３３は、認証情報を判定部３５に受け渡す。
【００５４】
これに対して、ステップＳＴ７において、認証エリア１３に進入した利用者は、ＩＣカード２１が収納されたカードホルダ２２を携帯していないため、受信部３３には、認証情報が送信されて来ない。つまり、受信部３３は、認証情報を受信することができない。
【００５５】
続いて、ステップＳＴ９において、判定部３５は、検出結果及び認証情報に基づいて、認証処理を行って、その認証結果に基づいて、利用者に対する通過可否を判定した後、表示部１４及び音声部１５による判定結果の出力内容を設定する。このとき、表示部１４は、判定部３５による認証処理が完了したため、認証エリア１３の位置及び通過方向の表示を終了する。
【００５６】
ここで、判定部３５は、例えば、図７に示すような判定テーブルを有している。この判定テーブルは、検出結果及び認証情報に基づいた認証結果と、判定結果に基づいた表示部１４及び音声部１５の出力内容とを、対応させたものである。判定部３５は、判定テーブルを用いて、認証結果に応じた表示部１４及び音声部１５の出力内容を選択する。
【００５７】
具体的には、図７に示すように、認証結果が「定期券で通過可能」及び「残高あり」となる場合には、表示部１４は、通過可能を示す表示を行い、音声部１５は、通過可能を示す音声を出力する。表示部１４は、同時に、プロジェクタ及び液晶モニタに対して、通過可能を示す表示を行わせても構わない。
【００５８】
一方、図７に示すように、認証結果が「なし」、「定期券が切れている」、及び、「残高なし」となる場合には、表示部１４は、通過不可を示す表示を行い、音声部１５は、通過不可を示す音声を出力する。認証結果が「定期券が切れている」となる場合には、「定期券が切れています」という音声を出力する。表示部１４は、同時に、プロジェクタ及び液晶モニタに対して、通過不可を示す表示を行わせても構わない。
【００５９】
次いで、ステップＳＴ１０において、判定部３５は、図７で説明したように、認証結果に対応した出力内容を、表示部１４及び音声部１５に通知する。
【００６０】
そして、ステップＳＴ１１において、表示部１４は、判定部３５によって設定された出力内容に沿って、判定結果を表示する。また、音声部１５は、判定部３５によって設定された出力内容に沿って、判定結果を音声として出力する。
【００６１】
以上より、実施の形態１に係る通過判定装置は、認証エリア１３の位置を、利用者が認証エリア１３に進入する以前から、第１の表示態様で表示する表示部１４を備えることにより、利用者は、認証エリア１３の位置を把握することができる。
【００６２】
また、表示部１４は、認証エリア１３において、利用者が通過すべき通過方向を表示することによって、利用者を当該認証エリア１３に向けて容易に誘導することができる。そして、表示部１４は、認証エリア１３の位置と、認証エリア１３の通過方向とを、１つの構成で表示することができるので、それぞれを表示するための２つの表示部を設けた場合と比べて、省スペース化及び低コスト化を図ることができる。
【００６３】
更に、表示部１４は、認証結果に基づいた利用者に対する通過可否を表示することができるため、不正進入を防止することができる。このとき、音声部１５は、利用者に対する通過可否を音声として出力することができるので、表示部１４のみを設けた場合と比べて、不正進入の防止効果を向上させることができる。
【００６４】
実施の形態２．
実施の形態２に係る通過判定装置は、オフィスビルの入館システムとなるフラットゲートシステムに適用されている。図８に示した、連続した３つのアニメーションは、判定部３５が利用者を通過可能と判定した場合に、表示部１４における通過可能の意図を第２の表示態様で表示するときのプロジェクタの投影状態を示している。
【００６５】
オフィスビルの入館通路を通過する複数の利用者は、認証デバイス２０を個々に携帯している。ＩＣカード２１は、社員証に相当するものであって、当該ＩＣカード２１には、認証情報となる個人識別情報が予め記憶されている。
【００６６】
図８に示すように、表示部１４は、判定部３５が利用者に対して通過可能と判定した場合には、通過可能を示す表示を行うと共に、利用者に対して、行き先を表示する。表示部１４は、例えば、プロジェクタを使用して、認証エリア１３の表面に、搭乗可能となるエレベータＡ〜Ｄ及びその搭乗位置を投影する。
【００６７】
プロジェクタは、エレベータＡ〜Ｄの配置順を表示しておき、その中で搭乗可能となるエレベータＢの搭乗位置表示色を、エレベータＡ，Ｃ，Ｄの搭乗位置表示色とは、異なった色とすると共に、エレベータＢへの搭乗を、言葉の投影によって表示している。表示部１４は、発光ダイオードの点滅による通過可能表示と、プロジェクタの投影による行き先表示とを、同時に行うことができるので、利用者の利便性を向上させることができる。
【００６８】
なお、本願発明は、その発明の範囲内において、各実施の形態の自由な組み合わせ、あるいは、各実施の形態における任意の構成要素の変形、もしくは、各実施の形態における任意の構成要素の省略が可能である。
【産業上の利用可能性】
【００６９】
この発明に係る通過判定装置及び表示方法は、認証エリアの位置を、利用者が認証エリアに進入する以前から表示することにより、利用者が認証エリアを把握することができるので、通路を利用する利用者に対して通過可否を判定するようにした通過判定装置及び表示方法に適している。
【符号の説明】
【００７０】
１１  改札通路、１２  床パネル、１３  認証エリア、１４  表示部、１５  音声部、２０  認証デバイス、２１  ＩＣカード、２２  カードホルダ、３１  読み取り部、３２  発信部、３３  受信部、３４  検出部、３５  判定部。
【要約】
利用者が有する認証デバイス（２０）から認証情報を受信する受信部（３３）と、受信部（３３）が受信した認証情報に基づいて、利用者の通過可否を判定する判定部（３５）と、認証デバイス（２０）の認証情報に基づいた認証処理を行うために当該認証デバイス（２０）を有する利用者が通過するべき領域である認証エリア（１３）の位置を、利用者が認証エリア（１３）に進入する以前から、第１の表示態様で表示する表示部（１４）とを備える。【図１】
0006437167.tif 000002
【図２】
0006437167.tif 000003
【図３】
0006437167.tif 000004
【図４】
0006437167.tif 000005
【図５】
0006437167.tif 000006
【図６】
0006437167.tif 000007
【図７】
0006437167.tif 000008
【図８】
0006437167.tif 000009